(57)【要約】【課題】種貝を入れる作業を容易に行うことができると共に、海で海苔網に種付けをする際に、袋が水流で横を向いたり反転したりしても、内部に入れてある種貝が袋からこぼれ出ることを抑制することができる海苔養殖用種付け袋を提供する。【解決手段】海苔養殖用種付け袋Ａ１は、ループ状の外枠部材１、及び外枠部材１に内方へ向けて設けられ、常態では、他のストッパー部材と協働して種貝を止め、外力で撓み変形することにより、他のストッパー部材との間に種貝を通す隙間１５０を形成する可撓性のストッパー部材１１、１２を有する、防水性の開口枠体１と、開口枠体１の外枠部材１０の外周面に開口部の縁部が取り付けられ、種貝を保持する防水性の袋体２とを備える。【選択図】図１
2020080684.tif 000002
【特許請求の範囲】
【請求項１】
ループ状の外枠部材、及び該外枠部材に内方へ向けて設けられ、常態では、対向又は隣接する他の部材と協働して種貝を止め、外力で撓み変形することにより、対向又は隣接する他の部材との間で種貝を通す隙間を形成する可撓性のストッパー部材を有する、防水性の開口枠体と、
該開口枠体の前記外枠部材の外周面に開口部の縁部が取り付けられ、種貝を保持する防水性の袋体と、を備える
海苔養殖用種付け袋。
【請求項２】
前記開口枠体の前記外枠部材が、所要の長さの長径部と短径部を有する
請求項１記載の海苔養殖用種付け袋。
【請求項３】
前記開口枠体の前記外枠部材が可撓性を有する
請求項１又は２記載の海苔養殖用種付け袋。
【請求項４】
前記外枠部材の短径部の長さを所要の範囲内に止める口決め部材を有する
請求項３記載の海苔養殖用種付け袋。
【請求項５】
前記袋体が透明性を有する
請求項１、２、３又は４記載の海苔養殖用種付け袋。
【請求項６】
袋体と共に海苔養殖用種付け袋を構成し、防水性であり、
ループ状の外枠部材と、
該外枠部材に内方へ向けて設けられ、常態では、対向又は隣接する他の部材と協働して種貝を止め、外力で撓み変形することにより、対向又は隣接する他の部材との間で種貝を通す隙間を形成する可撓性のストッパー部材と、を備える
開口枠体。
【発明の詳細な説明】
【技術分野】
【０００１】
本発明は、海苔養殖用種付け袋、及びそれに使用する開口枠体に関するものである。詳しくは、種貝を入れる作業を容易に行うことができると共に、海で海苔網に種付けをする際に、袋が水流で横を向いたり反転したりしても、内部に入れてある種貝が袋からこぼれ出るのを抑制することができ、作製が容易なものに関する。
【背景技術】
【０００２】
海苔の養殖においては、海苔網に対して海苔種の種付け（採苗：さいびょう）が行われる。海苔網へ種付けを行う方法には、（ａ）水車構造を持った専用の機械を使用し、水車に重ねて巻き取った海苔網を、種貝を吊した水槽に潜らせて種付けをする方法（陸上採苗）と、（ｂ）海で海苔網を重ねて張り、海苔網の下に種貝を入れた袋を吊って、満潮時に海苔網と種付け袋が海水に浸かることを利用して種付けをする方法（野外採苗）の二種類がある。
【０００３】
後者（ｂ）の海で種付けを行う方法においては、種付け袋に入れた種貝から海水中へ放出される胞子が海苔網に付着し、種付けがされる（非特許文献１参照）。図１３に、この方法で使用される種付け袋の構造を示す。従来の種付け袋７は、合成樹脂製の袋７０の開口部７１を囲むように管状の挿通部７２を設け、挿通部７２にプラスチック線材を長円状に形成して拡開具７３としたものを装着し、拡開具７３に吊紐７４を括り付けた構造である。
【先行技術文献】
【特許文献】
【０００４】
【非特許文献１】"有明海苔紫彩のホームページ"、[2018年11月24日検索]、インターネット<http://ariakesuisan.com/2013/10/19/%E6%B5%B7%E8%8B%94%E3%81%AE%E7%A8%AE%E4%BB%98%E3%81%91/>
【発明の概要】
【発明が解決しようとする課題】
【０００５】
しかしながら、上記したような従来の種付け袋７には、次のような課題があった。
即ち、種付け袋７の開口部７１は、種貝を入れる作業が容易にできるように、拡開具７３によって常に開いているので、種貝を収容した状態で種付け袋７を大量に運ぶ時等に種貝が開口部７１からこぼれ出たり、或いは上記（ｂ）での種付け作業の際に、袋が水流で横を向いたり反転したりした時に種貝が袋からこぼれ出ることがあった。
【０００６】
また、種付け袋７を製造するには、袋７０の開口部７１縁部を折り返し、全周を溶着して管状の挿通部７２を形成し、この挿通部７２にプラスチック線材を通して、これを長円状に曲げて拡開具７３を形成していたが、この作業は人の手による大変に手間のかかる作業であった。
【０００７】
本発明は、以上の点を鑑みて創案されたものであり、種貝を入れる作業を容易に行うことができると共に、海で海苔網に種付けをする際に、袋が水流で横を向いたり反転したりしても、内部に入れてある種貝が袋からこぼれ出ることを抑制することができる、作製が容易な海苔養殖用種付け袋、及びそれに使用する開口枠体を提供することを目的とする。
【課題を解決するための手段】
【０００８】
（１）上記の目的を達成するために、本発明の海苔養殖用種付け袋は、ループ状の外枠部材、及び外枠部材に内方へ向けて設けられ、常態では、対向又は隣接する他の部材と協働して種貝を止め、外力で撓み変形することにより、対向又は隣接する他の部材との間で種貝を通す隙間を形成する可撓性のストッパー部材を有する、防水性の開口枠体と、開口枠体の外枠部材の外周面に開口縁部が取り付けられ、種貝を保持する防水性の袋体と、を備える。
【０００９】
海苔養殖用種付け袋は、外枠部材がループ状であることにより、種貝を入れる口部の形状を安定的に維持することができる。また、ストッパー部材は可撓性を有しており、外力を受けることにより変形して外力が続いている間はその形状が維持され、外力が限度を超えない大きさであれば、外力が解除されることにより元の形状に復元する。
【００１０】
ストッパー部材は、外枠部材に内方へ向けて設けられ、常態では、対向又は隣接する他の部材と協働して種貝を止めることができる。これにより、種貝を入れた海苔養殖用種付け袋の搬送や取り扱い時において、或いは海で海苔網に種付けをする際に海水中での水流によって、海苔養殖用種付け袋が横を向いたり反転したりして、ストッパー部材に対して種貝による外力が作用した程度では、ストッパー部材の変形量は小さく、隙間がそれ程拡がることはないので、種貝が隙間を通り抜けて外にこぼれ出ることは抑制される。
【００１１】
また、ストッパー部材は、例えば人の手によって、種貝を介して外力が作用し、種貝を入れる方向へ撓み変形することにより、対向又は隣接する他の部材との間で、種貝を通すことができる幅の隙間を形成する。これにより、海苔養殖用種付け袋に種貝を入れる作業を容易に行うことができる。袋体は、開口枠体の外枠部材の外周面に開口縁部が取り付けられることにより、開口枠体と一体化し、開口枠体を通して入れられる種貝を収容し保持することができる。
【００１２】
なお、開口枠体と袋体は、何れも防水性を有するので、水が浸潤することがなく、特に海水中での劣化や変質を防止又は抑制することで、可撓性を有することによる開口枠体の各部の変形性と復元性が維持できる。また、これにより海苔養殖用種付け袋の繰り返しの使用、及び長期にわたる使用が可能になる。なお、袋体については、透水性を備えていることを排除しない。
【００１３】
また、海苔養殖用種付け袋の作製にあたっては、例えば型成形した開口枠体を準備しておくことにより、実質的な作業は、開口枠体に袋体を接着して一体化する作業だけで済むので、従来の海苔養殖用種付け袋と比較して簡単に作製することができ、海苔養殖用種付け袋の作製に係る作業従事者の負担が軽減される。
【００１４】
本発明にいう「ループ状」とは、必ずしも、円形、長円形（楕円形）、四角形、三角形等の多角形等の整った形状に限るものではなく、途中に歪な経路や複雑な経路等が設けられた特異な形状のループであってもよい。また、外枠部材自身のループが中断し、ストッパー部がその中断部をつなぐようにしてループを構成する構造であってもよい。
【００１５】
（２）本発明の海苔養殖用種付け袋は、開口枠体の外枠部材が所要の長さの長径部と短径部を有する構成とすることもできる。
【００１６】
海苔養殖用種付け袋は、外枠部材が所要の長さの長径部と短径部を有するループ状であることにより、種貝を入れる口部の形状を、例えば長円状にすることができ、口部に入れる際の種貝の入れやすさに影響する形状、即ち断面形状で、幅方向（長径方向）には長く、厚み方向（短径方向）には短い形状、に無理なく対応することができる。
【００１７】
（３）本発明の海苔養殖用種付け袋は、開口枠体の外枠部材が可撓性を有する構成とすることもできる。
【００１８】
この場合は、仮に種貝が大きすぎて、種貝が通り抜ける隙間を形成するのに、ストッパー部材の撓み変形だけでは対応できないときに、ストッパー部材の撓み変形に加えて外枠部材を口が拡がるように撓み変形させることにより、種貝を入れる隙間を無理なく形成することが可能になる。
【００１９】
（４）本発明の海苔養殖用種付け袋は、外枠部材の短径部の長さを所要の長さに止める口決め部材を有する構成とすることもできる。
【００２０】
この場合は、口決め部材が外枠部材の短径方向の長さを、必要以上に拡がることがないように止めることができる。これによれば、少なくとも、常態での種貝の通り抜けを抑制する作用は維持できるように、口決め部材の長さを設定しておくことにより、必要な機能を確保しながら、入れる種貝の大きさの違いにもある程度対応することができるので、利便性が高い。
【００２１】
（５）本発明の海苔養殖用種付け袋は、袋体が透明性を有する構成とすることもできる。
【００２２】
この場合は、袋体の中が外から透けて見えるので、袋体を触って確かめなくても、離れたところから見るだけで、種貝が入っているかどうかを確認することができる。これによれば、海苔養殖用種付け袋に種貝を入れる作業においても、野外採苗等の種付け作業においても、種貝が入っていない場合の種貝の補充をより確実に行うことができる。
【００２３】
（６）上記の目的を達成するために、本発明の開口枠体は、袋体と共に海苔養殖用種付け袋を構成し、防水性であり、ループ状の外枠部材と、外枠部材に内方へ向けて設けられ、常態では、対向又は隣接する他の部材と協働して種貝を止め、外力で撓み変形することにより、対向又は隣接する他の部材との間で種貝を通す隙間を形成する可撓性のストッパー部材と、を備える。
【００２４】
開口枠体は、外枠部材がループ状であることにより、種貝を入れる口部の形状を安定的に維持することができる。また、ストッパー部材は外枠部材に内方へ向けて設けられ、可撓性を有しており、外力を受けることにより変形して外力が続いている間はその形状が維持され、外力が限度を超えない大きさであれば、外力が解除されることにより元の形状に復元する。
【００２５】
ストッパー部材は、外枠部材に内方へ向けて設けられ、対向又は隣接する他の部材と協働して種貝を止めることができる。これにより、種貝を入れた海苔養殖用種付け袋の搬送や取り扱い時において、或いは海で海苔網に種付けをする際に海水中での水流によって、海苔養殖用種付け袋が横を向いたり反転したりして、ストッパー部材に対して種貝による外力が作用した程度では、ストッパー部材の変形量は小さく、隙間がそれ程拡がることはないので、種貝が隙間を通り抜けて外にこぼれ出ることは抑制される。
【００２６】
また、ストッパー部材は、例えば人の手によって、種貝を介して外力が作用し、種貝を入れる方向へ撓み変形することにより、対向又は隣接する他の部材との間で、種貝を通すことができる幅の隙間を形成する。これにより、海苔養殖用種付け袋に種貝を入れる作業を容易に行うことができる。
【００２７】
なお、開口枠体は防水性を有するので、袋体と一体化して海水中で使用する場合でも、水が浸潤することがなく、海水中での劣化や変質を防止又は抑制することで、可撓性を有することによる各部の変形性と復元性が維持できる。また、これにより海苔養殖用種付け袋の繰り返しの使用、及び長期にわたる使用が可能になる。
【発明の効果】
【００２８】
本発明は、種貝を入れる作業を容易に行うことができると共に、海で海苔網に種付けをする際に、袋が水流で横を向いたり反転したりしても、内部に入れてある種貝が袋からこぼれ出ることを抑制することができる、作製が容易な海苔養殖用種付け袋、及びそれに使用する開口枠体を提供することができる。
【図面の簡単な説明】
【００２９】
【図１】本発明に係る海苔養殖用種付け袋の第１実施の形態を示す斜視図である。
【図２】図１の海苔養殖用種付け袋の縦断面図である。
【図３】図１の海苔養殖用種付け袋を構成する開口枠体の平面図である。
【図４】海苔養殖用種付け袋に、海苔の胞子を接種した種貝を手作業で入れている状態を示す説明図である。
【図５】海苔養殖用種付け袋の使用状態を示す説明図である。
【図６】本発明に係る海苔養殖用種付け袋の第２実施の形態を示す斜視図である。
【図７】図６の海苔養殖用種付け袋を構成する開口枠体を示す説明図である。
【図８】本発明に係る海苔養殖用種付け袋の第３実施の形態を示す斜視図である。
【図９】図８の海苔養殖用種付け袋を構成する開口枠体を示す説明図である。
【図１０】本発明に係る海苔養殖用種付け袋の第４実施の形態を示す斜視図である。
【図１１】図１０の海苔養殖用種付け袋を構成する開口枠体を示す説明図である。
【図１２】本発明に係る開口枠体の他の実施の形態を示す平面図である。
【図１３】従来の海苔養殖用種付け袋の構造を示す斜視図である。
【発明を実施するための形態】
【００３０】
図１ないし図１２を参照して、本発明の実施の形態を更に詳細に説明する。
本発明の第１実施の形態である海苔養殖用種付け袋Ａ１は、開口枠体１と袋体２により構成されている。
開口枠体１は、外枠部材１０、ストッパー部材１１、１２、及び口決め部材１３で構成されている。外枠部材１０は、長径部の長さがＬ１で、短径部の長さがＬ２であり、短径部の長さＬ２がほぼ一定長さの長円形（本実施の形態では、外周面の長径１２８ｍｍ、短径２８ｍｍ）のループ状に形成されている（図１、図３、図４参照）。
【００３１】
また、外枠部材１０を形成している材の断面形状は、図２において縦長のほぼ長方形状であり、外枠部材１０の外周面の下側には、材の厚みをやや薄くして接着段部１００が形成されている（図２の部分拡大図参照）。接着段部１００の、外径がやや大きい材上部（符号省略）に対する段落ちの程度は、後述する袋体２のシートの厚みと同程度であるが、これに限定はしない。
【００３２】
外枠部材１０には、外枠部材１０の内面から内方へ向けて、ストッパー部材１１、１２が設けられている。ストッパー部材１１、１２は、断面形状が円形で、それぞれの両端部が、外枠部材１０において、外枠部材１０の長径方向の両側の円弧部分（符号省略）と、それにつながる直線部分（符号省略）の境界部に固定されている。
【００３３】
ストッパー部材１１、１２は、それぞれ両端側に、湾曲部１１０、１１０、及び湾曲部１２０、１２０を有している。湾曲部１１０、１１０同士、湾曲部１２０、１２０同士をつなぐ部分は、直線部１１１、及び直線部１２１となっている。ストッパー部材１１、１２は、外枠部材１０の幅方向に相対向して対称に設けられている（図１、図３参照）。
【００３４】
そして、ストッパー部材１１、１２の直線部１１１、１２１は平行させてあるので間隔が一定であり、直線部１１１、１２１の間は、所要幅の設定隙間１５となっている。なお、ストッパー部材１１、１２は、外枠部材１０の内方へ向かう先端部（直線部１１１、１２１）が、固定部から後述する袋体２の方向へやや下がっており、湾曲部１１０、１２０を同方向へ傾斜させてある（図２参照）。
【００３５】
外枠部材１０の長径方向の中間部には、所要間隔で位置する平行な各材に架け渡すように、後述する袋体２とは反対方向へやや膨らむように湾曲した口決め部材１３が設けられている。口決め部材１３は、断面形状が円形で、その長手方向の中間部には、リング状の紐通し部１３０が形成されている。紐通し部１３０には、ループ状に結ばれた吊り紐１４が掛けられている。
【００３６】
また、開口枠体１は、全体が可撓性を有する合成樹脂で形成されている。開口枠体１は、併せて防水性（又は非透水性）を有しており、水が浸潤することがなく、特に海水中での劣化や変質を防止又は抑制することで、可撓性を有することによる各部の変形性と復元性が維持できるようにしている。なお、開口枠体１の外枠部材１０は、撓みにくい剛性又は準剛性の材料等で形成することもできる。この場合は、開口枠体１が外力で変形しにくいので、種貝を入れる作業において開口枠体１が持ちやすく、作業がしやすい。
【００３７】
そして、ストッパー部材１１、１２は、可撓性を有することにより、外力が作用しない上記状態（いわゆる常態）から、外力が作用すると撓んで変形し、外力が解除されると元の形状に復元する。また、ストッパー部材１１、１２の直線部同士の設定隙間１５の幅は、種貝の一般的、或いは平均的な厚さより狭くなるように設定されている。
【００３８】
これにより、例えば種貝が内部で水流により遊動する程度の、図１において上方向の外力で、設定隙間１５の近傍のストッパー部材１１、１２に作用したときには、外力がそれ程大きくならないため、ストッパー部材１１、１２の変形量も小さい。多少変形したとしても、ストッパー部材１１、１２の上記傾斜により、変形初期は設定隙間１５の間隔が狭まるように変形するので、その作用も相まって、種貝が通り抜けることを防止、又は抑制することができる。
【００３９】
また、逆に、種貝を人の手によって、図２において下方向のやや大きな外力で、設定隙間１５の近傍のストッパー部材１１、１２に作用させたときには、ストッパー部材１１、１２が外力で撓み、設定隙間１５の間隔がやや拡がるように変形することにより、相対向するストッパー部材１１、１２の間で、種貝が通る隙間１５０を形成することができる（図４参照）。
【００４０】
そして、開口枠体１には、袋体２が取り付けられ、一体化されている。袋体２は、本実施の形態では、透明で防水性の合成樹脂で形成された、一辺に開口部２０を有するボトムシール袋であるが、これに限定せず、例えばサイドシール袋等、他の種類の袋を採用してもよい。袋体２は、開口部２０を拡げ、開口縁部２１の内面を開口枠体１の接着段部１００に、熱溶着により取り付けられている（特に図２参照）。
【００４１】
これにより、開口枠体１と袋体２は一体化し、海苔養殖用種付け袋Ａ１となる。なお、開口枠体１と袋体２の接着又は取り付けは、熱溶着に限るものではなく、接着剤による接着、或いは合成樹脂製の鋲による固定等、他の手段を採用することもできる。
【００４２】
（作用）
図１乃至図５を参照して、種付け作業である野外採苗における海苔養殖用種付け袋Ａ１の使用方法、及び作用について説明する。
【００４３】
秋に野外採苗を行うに当たり、春に海苔の果胞子を牡蠣殻などの貝殻に付けて、その中で夏にかけて糸状体を成長させ、殻胞子をつくらせる。このようにして作った、多量の殻胞子が中にある状態の貝殻を種貝３とし、海苔養殖用種付け袋Ａ１と共に、予め多数を用意しておく。
【００４４】
海苔養殖用種付け袋Ａ１は、外枠部材１０が長円形のループ状であることにより、種貝３を入れる口部の形状を安定的に維持することができる。また、開口枠体１の外枠部材１０とストッパー部材１１、１２、及び口決め部材１３は可撓性を有しており、外力を受けることにより変形し、外力が解除されることにより元の形状に復元する。
【００４５】
ここで、図４を参照して、手作業によって海苔養殖用種付け袋Ａ１に種貝３を入れる作業について説明する。
まず、開口枠体１の外枠部材１０を指で挟むように持って、海苔養殖用種付け袋Ａ１を片方の手で支える。そして、もう片方の手で、種貝３を持ち、ストッパー部材１１、１２の間の設定隙間１５に入れ込む。なお、種貝３は、厚みが開口枠体１の設定隙間１５の幅より厚いものが使用される。
【００４６】
これにより、種貝３がストッパー部材１１、１２に当たり、種貝３を介して、ストッパー部材１１、１２に対して比較的強い外力が作用する。ストッパー部材１１、１２が、種貝３を入れる方向へ撓み変形することにより、対向するストッパー部材１１、１２の間で、隙間が拡がって、種貝３が通る隙間１５０が形成される。そして、種貝３を更に押し込むことにより、種貝３を袋体２に入れる作業を容易に行うことができる。
【００４７】
海苔養殖用種付け袋Ａ１は、上記したように開口枠体１の外枠部材１０が所要の長さの長径部と短径部を有する長円形なので、口部に入れる際の種貝３の入れやすさに影響する形状、即ち断面形状で、幅方向（長径方向）には長く、厚み方向（短径方向）には短い形状、に無理なく対応することができる。
【００４８】
また、ストッパー部材１１、１２の線部の直線部１１１、１２１は、湾曲部１１０、１２０が袋体２の方向に傾斜しているため、変形初期から互いに離れるように撓み変形するので、設定隙間１５がスムーズに拡がり、海苔養殖用種付け袋Ａ１に種貝を入れる作業を容易に行うことができる。
【００４９】
また、外枠部材１０が可撓性を有することによって、仮に種貝３が大きすぎて、種貝３が通り抜ける隙間を形成するのに、ストッパー部材１１、１２の撓み変形だけでは対応できないときに、ストッパー部材１１、１２の撓み変形に加えて外枠部材１０を口が拡がるように撓み変形させることにより、種貝を入れる隙間を無理なく形成することが可能になる。
【００５０】
なお、袋体２は透明であり、袋体２の中が外から透けて見えるので、袋体２を触って確かめなくても、離れたところから見るだけで、種貝３が入っているかどうかを確認することができる。これによれば、海苔養殖用種付け袋Ａ１に種貝３を入れる作業においても、後述する野外採苗等の種付け作業においても、種貝３が入っていない場合の種貝３の補充をより確実に行うことができる。
【００５１】
このようにして作った、種貝３を入れた海苔養殖用種付け袋Ａ１は、種貝３を入れた海苔養殖用種付け袋Ａ１を、吊り綱５２に対して、予め吊り紐１４によって所要間隔で結び付けておき、次に説明するように、干潮時に吊り綱５２を海苔網５の下に張り渡すようにする。また、これに代えて、吊り綱５２を海苔網５の下に張り渡した後で、吊り綱５２に、種貝３を入れた海苔養殖用種付け袋Ａ１を結び付けるようにしてもよい。
【００５２】
海苔養殖用種付け袋Ａ１は、ストッパー部材１１、１２が、外枠部材１０に内方へ向けて設けられ、対向する他のストッパー部材１１、１２との間で形成されている設定隙間１５の幅は、種貝３の一般的、或いは平均的な厚さより狭くしているので、外力が作用しない常態では、ストッパー部材１１、１２によって種貝３を止めることができる。
【００５３】
これにより、種貝３を入れた海苔養殖用種付け袋Ａ１の搬送や取り扱い時において、種貝３が袋体２内で動いて、自身の重みでストッパー部材１１、１２に当たっても、この程度の外力ではストッパー部材の変形量は小さく、隙間がそれ程拡がることはないので、種貝が隙間を通り抜けて外にこぼれ出ることは抑制される。
【００５４】
図５を主に参照する。
野外採苗においては、干満差が大きい所定の海域に所要数の縦支持材５０を所要間隔で立て込み、各縦支持材５０に横支持材５１を架け渡し、海苔網を支える支持構造物（符号省略）を作る。横支持材５１の高さは、干潮時に充分な高さの空間を挟んで海面４１から出ることができる高さに設定されている。
【００５５】
そして、干潮時において、所要枚数重ねた海苔網５を、括り綱５３によって横支柱５１に固定する。海苔網５の下には、種貝３を入れた海苔養殖用種付け袋Ａ１を所要間隔で結び付けた吊り綱５２を適宜張り渡す。なお、海苔養殖用種付け袋Ａ１を海苔網５に直接取り付ける方法を採用する場合もある。
【００５６】
満潮時には、海面４２の高さが、海苔網５より高くなり、海苔網５と種貝３を入れた海苔養殖用種付け袋Ａ１も海水に没入する。
秋になり水温が低くなると、満潮時において、海苔養殖用種付け袋Ａ１の内部にある種貝３から殻胞子が飛び出し、海苔養殖用種付け袋Ａ１から外へ出て、海中を漂い、近くにある海苔網５に付着し、種付けが行われる。
【００５７】
また、海苔網５に種付けをする際に、海苔養殖用種付け袋Ａ１が水流で横を向いたり反転したりして、袋体２の内部に入っている種貝３が海水中での水流によって遊動してストッパー部材１１、１２に当たっても、上記と同様に、ストッパー部材の変形量は小さく、隙間がそれ程拡がることはないので、種貝３が隙間を通り抜けて外にこぼれ出ることは抑制される。
【００５８】
なお、海苔養殖用種付け袋Ａ１の開口枠体１は、外枠部材１０の短径部の長さを所要の長さに止める口決め部材１３を有するので、口決め部材１３が外枠部材１０の短径方向の長さを、必要以上に拡がることがないように止めることができる。これにより、少なくとも、ストッパー１１、１２による常態での種貝３の通り抜けを抑制する作用は維持できるように、口決め部材１３の長さを設定しておくことにより、必要な機能を確保しながら、入れる種貝３の大きさの違いにもある程度対応することができるので、利便性が高い。
【００５９】
開口枠体１と袋体２は、何れも防水性を有するので、水が浸潤することがなく、特に海水中での劣化や変質を防止又は抑制することで、可撓性を有することによる開口枠体１の各部の変形性と復元性が維持できる。また、これにより海苔養殖用種付け袋Ａ１の繰り返しの使用、及び長期にわたる使用が可能になる。
【００６０】
更に、海苔養殖用種付け袋Ａ１の作製にあたっては、例えば型成形した開口枠体１を準備しておくことにより、実質的な作業は、開口枠体１に袋体２を接着して一体化する作業だけで済むので、従来の海苔養殖用種付け袋と比較して簡単に作製することができ、海苔養殖用種付け袋Ａ１の作製に係る作業従事者の負担が軽減される。
【００６１】
図６、図７を参照する。図７（ａ）は開口枠体の平面図、（ｂ）は拡大断面図である。
本発明の第２実施の形態である海苔養殖用種付け袋Ａ２は、開口枠体１ｃと袋体２ｃを一体化して構成されている。開口枠体１ｃは、可撓性を有する合成樹脂で形成され、外枠部材１０ｃ、ストッパー部材１１ｃ、１２ｃ、補強部材１１２ｃ、１２２ｃ、及び口決め部材１３ｃで構成されている。また、袋体２ｃはサイドシール袋である。
【００６２】
外枠部材１０ｃは、長径部と短径部を有し、短径部の長さがほぼ一定長さの長円形（本実施の形態では、外周面の長径１２８ｍｍ、短径３０ｍｍ）のループ状に形成されている。外枠部材１０ｃの外周部には、上記海苔養殖用種付け袋Ａ１の外枠部材１０と同様に、材の厚みをやや薄くして接着段部１００が形成されている。
【００６３】
外枠部材１０ｃには、外枠部材１０ｃの内面から内方の斜め下方へ傾斜させて、ストッパー部材１１ｃ、１２ｃが設けられている。ストッパー部材１１ｃ、１２ｃは、断面形状が円形で、それぞれの両端部が、外枠部材１０ｃにおいて、外枠部材１０の長径方向の両側の湾曲部分（符号省略）の上部に固定されている。
【００６４】
ストッパー部材１１ｃ、１２ｃは、それぞれ全長にわたり外枠部材１０ｃの内方へ膨らむように緩やかに湾曲し、外枠部材１０ｃの幅方向に相対向して対称に設けられている。そして、ストッパー部材１１ｃ、１２ｃの間は、上記外枠部材１０の設定隙間１５とほぼ同様の所要幅の設定隙間１５ｃとなっている。
【００６５】
ストッパー部材１１ｃ、１２ｃの内側には、補強部材１１２ｃ、１２２ｃが、両端部を外枠部材１０ｃの内面、かつストッパー部材１１ｃ、１２ｃよりやや低い位置に固定して、内方の斜め下方へ、ストッパー部材１１ｃ、１２ｃと同じ角度で傾斜させて設けられている（図７（ａ）、（ｂ）参照）。
【００６６】
また、外枠部材１０ｃの長径方向の中間部には、所要間隔で位置する平行な各材に架け渡すように、かつストッパー部材１１ｃ、１２ｃの下を通るようにして、口決め部材１３ｃが設けられている。口決め部材１３ｃは、断面形状が円形で、その長手方向の中間部には、設定隙間１５ｃに位置させてアーチ状の紐通し部１３０ｃが形成されている。紐通し部１３０ｃには、ループ状に結ばれた吊り紐１４が掛けられている。
【００６７】
なお、口決め部材１３ｃは、上記補強部材１１２ｃ、１２２ｃと同角度で傾斜させて設けられ、補強部材１１２ｃ、１２２ｃと交差し、この交差部分で一体化されている。これにより、補強部材１１２ｃ、１２２ｃは、口決め部材１３ｃの両端部寄りを補強している。また、ストッパー部材１１ｃ、１２ｃは、口決め部材１３ｃに設けられている紐通し部１３０ｃの両基部の上方にやや隙間を設けて位置させてある（図６、図７（ｂ）参照）。
【００６８】
（作用）
図６、図７を参照して、海苔養殖用種付け袋Ａ２の作用について説明する。なお、上記海苔養殖用種付け袋Ａ１と共通する基本的な作用については、ここでは説明を省略し、構造がやや相違する開口枠体に関する作用を主に説明する。
【００６９】
海苔養殖用種付け袋Ａ２は、例えば種貝が内部で水流により遊動する程度の、図６において上方向の外力で、設定隙間１５ｃの近傍のストッパー部材１１ｃ、１２ｃに作用したときには、外力がそれ程大きくならないため、ストッパー部材１１ｃ、１２ｃの変形量も小さい。多少変形したとしても、ストッパー部材１１ｃ、１２ｃの上記傾斜により、変形初期は設定隙間１５ｃの間隔が狭まるように変形するので、その作用とも相まって、種貝が通り抜けることを防止、又は抑制することができる。
【００７０】
また、逆に、種貝を人の手により、図６において下方向のやや大きな外力で、設定隙間１５ｃの近傍のストッパー部材１１ｃ、１２ｃに作用させたときには、ストッパー部材１１ｃ、１２ｃが外力で撓み、設定隙間１５ｃの間隔がやや拡がるように変形することにより、相対向するストッパー部材１１ｃ、１２ｃの間で、種貝が通る隙間を形成することができる。これにより、種貝を袋体２ｃの中に入れる作業を容易に行うことができる。
【００７１】
図１４、図９を参照する。図９（ａ）は開口枠体の平面図、（ｂ）は拡大断面図である。
本発明の第３実施の形態である海苔養殖用種付け袋Ａ３は、上記海苔養殖用種付け袋Ａ１とほぼ同等の構成を有しているので、共通する構成及び作用については説明を省略し、主に相違する構成及び作用について説明する。
【００７２】
海苔養殖用種付け袋Ａ３は、外枠部材１０ｄと袋体２ｄ（本実施の形態ではサイドシール袋）を一体化して構成されている。外枠部材１０ｄは、長円形のループ状に形成されている。外枠部材１０ｄの内方には、ストッパー部材１１ｄ、１２ｄと口決め部材１３ｄが形成されている。ストッパー部材１１ｄ、１２ｄは、全体が互いに接近する方向へ緩やかに湾曲して形成されており、その間には設定隙間１５ｄが形成されている。
【００７３】
口決め部材１３ｄは、本実施の形態では、ストッパー部材１１ｄ、１２ｄの上方に位置して形成されており、その中間部には、上方へ湾曲して紐掛け１３０ｄが形成されている。紐掛け１３０ｄには、吊り紐１４を通す必要はなく、下から掛けるだけでよいので、海苔養殖用種付け袋Ａ３の作製の手間が軽減できる。
【００７４】
図１０、図１１を参照する。図１１（ａ）は開口枠体の平面図、（ｂ）は拡大断面図である。
本発明の第４実施の形態である海苔養殖用種付け袋Ａ４は、上記海苔養殖用種付け袋Ａ３とほぼ同等の構成を有しているので、共通する構成及び作用については説明を省略し、主に相違する構成及び作用について説明する。
【００７５】
海苔養殖用種付け袋Ａ４は、外枠部材１０ｅと袋体２ｅを一体化して構成されている。外枠部材１０ｅは、長円形のループ状に形成されている。外枠部材１０ｅの内方には、ストッパー部材１１ｅ、１２ｅと口決め部材１３ｅが形成されている。ストッパー部材１１ｅ、１２ｅは、全体が互いに接近する方向へ緩やかに湾曲して形成されており、その間には設定隙間１５ｅが形成されている。
【００７６】
また、ストッパー部材１１ｅ、１２ｅのそれぞれには、長手方向の中間部に補強部材１１２ｅ、１２２ｅが設けてある。補強部材１１２ｅ、１２２ｅは、ストッパー部材１１ｅ、１２ｅの湾曲方向と逆方向に湾曲しており、両端がストッパー部材１１ｅ、１２ｅに固定されている。補強部材１１２ｅ、１２２ｅは、ストッパー部材１１ｅ、１２ｅを補強しており、特に長手方向の中間部の撓み変形に対する強度を苦情させている。
【００７７】
口決め部材１３ｅは、本実施の形態では、ストッパー部材１１ｅ、１２ｅの上方に位置して形成されており、その中間部には、上方へ湾曲して紐掛け１３０ｅが形成されている。紐掛け１３０ｅには、上記海苔養殖用種付け袋Ａ３の紐掛け１３０ｄと同様に、吊り紐１４を通す必要はなく、下から掛けるだけでよいので、海苔養殖用種付け袋Ａ４の作製の手間が軽減できる。
【００７８】
図１２を参照し、本発明に係る開口枠体の他の実施の形態を説明する。
図１２（ａ）に示す開口枠体１ａは、可撓性を有する材料で形成され、上記開口枠体１の外枠部材１０と同じ形状の外枠部材１０ａを有している。外枠部材１０ａの長径方向の中間部には、上記開口枠体１の口決め部材１３、紐通し部１３０と同じ形状の口決め部材１３ａ、紐通し部１３０ａが設けられている。
【００７９】
そして、ストッパー部材１１ａ、１２ａは、開口枠体１ａにおいて、口決め部材１３ａの両側に、外枠部材１０ａの短径方向にそれぞれ相対向して設けられている。ストッパー部材１１ａ、１２ａの直線部（符号省略）の間は、上記開口枠体１の設定隙間１５と同様の設定隙間１５ａとなっている。
【００８０】
開口枠体１ａは、袋体２を取り付けることにより、上記海苔養殖用種付け袋Ａ１とほぼ同様に使用することができる。開口枠体１ａの基本的な作用は、上記開口枠体１とほぼ同様であるので、ここでは説明を省略する。
【００８１】
なお、開口枠体１ａは、ストッパー部材１１ａ、１２ａを構成する材は同じで、開口枠体１と比較して、小さく作られている。これにより、ストッパー部材１１ａ、１２ａの剛性は高くなり、同じ外力が作用しても変形量が小さくなるので、種貝がこぼれ出ることを抑制する効果については、向上することが期待できる。
【００８２】
図１２（ｂ）に示す開口枠体１ｂは、可撓性を有する材料で形成され、上記開口枠体１の外枠部材１０と同じ形状の外枠部材１０ｂを有している。外枠部材１０ｂの長径方向の中間部には、上記開口枠体１の口決め部材１３、紐通し部１３０と同じ形状の口決め部材１３ｂ、紐通し部１３０ｂが設けられている。
【００８３】
ストッパー部材１１ｂ、１２ｂは、開口枠体１ｂにおいて、口決め部材１３ｂの両側に、それぞれ二本のストッパー部材１１ｂと、一本のストッパー部材１２ｂが、外枠部材１０ｂの短径方向にそれぞれ反対方向を向くように設けられている。ストッパー部材１１ｂ、１２ｂの間は、設定隙間１５ｂとなっている。
【００８４】
開口枠体１ｂは、袋体２を取り付けることにより、上記海苔養殖用種付け袋Ａ１とほぼ同様に使用することができる。開口枠体１ｂの基本的な作用は、上記開口枠体１とほぼ同様であるので、ここでは説明を省略する。
【００８５】
なお、開口枠体１ｂでは、ストッパー部材１１ｂ、１２ｂを構成する材は同じで、開枠体１と比較して、ストッパー部材１１ｂ、１２ｂの間の設定隙間１５ｂが、数多く、かつ細かく作られている。これにより、ストッパー部材１１ａ、１２ａの剛性は高くないとしても、同じ外力が作用して変形しても、設定隙間１５ｂのそれぞれが大きくなりにくいので、結果として、種貝がこぼれ出ることを抑制する効果については、向上することが期待できる。
【００８６】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００８７】
Ａ１  海苔養殖用種付け袋
１  開口枠体
１０  外枠部材
１００  接着段部
１１、１２  ストッパー部材
１１０、１２０  湾曲部
１１１、１２１  直線部
１３  口決め部材
１３０  紐通し
１４  吊り紐
１５  設定隙間
１５０  種貝が通る隙間
２  袋体
２０  開口部
２１  開口縁部
３  種貝
４  海水
４１  干潮時の海面
４２  満潮時の海面
５  海苔網
５０  縦支持材
５１  横支持材
５２  吊り綱
５３  括り綱
Ａ２  海苔養殖用種付け袋
１ｃ  開口枠体
１０ｃ  外枠部材
１１ｃ、１２ｃ  ストッパー部材
１１２ｃ、１２２ｃ  補助部材
１３ｃ  口決め部材
１３０ｃ  紐掛け
１５ｃ  設定隙間
２ｃ  袋体
Ａ３  海苔養殖用種付け袋
１ｄ  開口枠体
１０ｄ  外枠部材
１１ｄ、１２ｄ  ストッパー部材
１３ｄ  口決め部材
１３０ｄ  紐掛け
１５ｄ  設定隙間
２ｄ  袋体
Ａ４  海苔養殖用種付け袋
１ｅ  開口枠体
１０ｅ  外枠部材
１１ｅ、１２ｅ  ストッパー部材
１１２ｅ、１２２ｅ  補助部材
１３ｅ  口決め部材
１３０ｅ  紐掛け
１５ｅ  設定隙間
２ｅ  袋体
１ａ  開口枠体
１０ａ  外枠部材
１１ａ、１２ａ  ストッパー部材
１３ａ  口決め部材
１３０ａ  紐通し
１５ａ  設定隙間
１ｂ  開口枠体
１０ｂ  外枠部材
１１ｂ、１２ｂ  ストッパー部材
１３ｂ  口決め部材
１３０ｂ  紐通し
１５ｂ  設定隙間
【図１】
2020080684.tif 000003
【図２】
2020080684.tif 000004
【図３】
2020080684.tif 000005
【図４】
2020080684.tif 000006
【図５】
2020080684.tif 000007
【図６】
2020080684.tif 000008
【図７】
2020080684.tif 000009
【図８】
2020080684.tif 000010
【図９】
2020080684.tif 000011
【図１０】
2020080684.tif 000012
【図１１】
2020080684.tif 000013
【図１２】
2020080684.tif 000014
【図１３】
2020080684.tif 000015